(57)【要約】      （修正有）【課題】歯科技工切削加工作業用の切削屑片の簡易防塵装置および防塵方法、とくに義歯切削加工作業用の切削屑片の簡易防塵装置、さらには、歯科技工切削加工作業環境、とくに義歯切削加工作業環境をクリーンに維持することのできる簡易防塵装置および防塵方法を提供し、とくに診察室に来診できない高齢者の在宅診療を行う際の簡易防塵装置および防塵方法を提供する。【解決手段】歯科技工切削加工作業、とくに義歯切削加工作業の際に、両端の開口部に溝２あるいは鍔３あるいは溝２と鍔３の両方の構造を備えた透明な太鼓形状の筒状物４で，該溝あるいは鍔あるいは溝と鍔の両方の構造に、中央部に作業手を挿入可能な穴形状を有しかつ切削屑飛散防止性の伸縮性のシートまたはフィルムを着脱自在に取り付け得る構造とすることを特徴とする簡易防塵装置を採用する。【選択図】図２
2008183281.tif 000002
【特許請求の範囲】
【請求項１】
両端の開口部に溝あるいは鍔あるいは溝と鍔の両方の構造を備えた透明な太鼓形状の筒状物で，該溝あるいは鍔あるいは溝と鍔の両方の構造を有し、中央部に作業手を挿入可能な穴形状を有しかつ切削屑飛散防止性の伸縮性のシートまたはフィルムを着脱自在に取り付け得る構造とすることを特徴とする簡易防塵装置。
【請求項２】
中央部に作業手を挿入可能な穴形状を有しかつ切削屑飛散防止性の伸縮性のシートまたはフィルムの穴形状部が絞り構造または襞付き絞り構造または切り込み襞付き構造となっている請求項１に記載の簡易防塵装置。
【請求項３】
中央部に作業手を挿入可能な穴形状を有しかつ切削屑飛散防止性の伸縮性のシートまたはフィルムが使い捨て医療用手袋の手首部である請求項１または２に記載の簡易防塵装置。
【請求項４】
請求項１ないし３のいずれかに記載の歯科技工切削加工作業用簡易防塵装置。
【請求項５】
請求項１ないし４のいずれかに記載の義歯切削加工作業用簡易防塵装置。
【請求項６】
請求項１ないし５のいずれかに記載の簡易防塵装置の着脱自在設けられた切削屑飛散防止性の伸縮性のシートまたはフィルムの中央部の穴形状部から切削工具を持った作業手を挿入し、切削作業を行うことを特徴とする防塵方法。
【請求項７】
両端の開口部に溝あるいは鍔あるいは溝と鍔の両方の構造を備えた透明な円柱形状の筒状物で，該溝あるいは鍔あるいは溝と鍔の両方の構造を有し、中央部に作業手を挿入可能な穴形状を有しかつ切削屑飛散防止性の伸縮性のシートまたはフィルムを着脱自在に取り付け得る構造とすることを特徴とする簡易防塵装置。
【請求項８】
中央部に作業手を挿入可能な穴形状を有しかつ切削屑飛散防止性の伸縮性のシートまたはフィルムの穴形状部が絞り構造または襞付き絞り構造または切り込み襞付き構造となっている請求項７に記載の簡易防塵装置。
【請求項９】
中央部に作業手を挿入可能な穴形状を有しかつ切削屑飛散防止性の伸縮性のシートまたはフィルムが使い捨て医療用手袋の手首部である請求項８に記載の簡易防塵装置。
【請求項１０】
請求項７ないし９のいずれかに記載の歯科技工切削加工作業用簡易防塵装置。
【請求項１１】
請求項７ないし１０のいずれかに記載の義歯切削加工作業用簡易防塵装置。
【請求項１２】
請求項７ないし１１のいずれかに記載の簡易防塵装置の着脱自在に設けられた切削屑飛散防止性の伸縮性のシートまたはフィルムの中央部の穴形状部から切削工具を持った作業手を挿入し、切削作業を行うことを特徴とする防塵方法。
【発明の詳細な説明】
【技術分野】
【０００１】
本発明は、歯科技工切削加工作業用の切削屑片の簡易防塵装置および防塵方法、とくに義歯切削加工作業用の切削屑片の簡易防塵装置および防塵方法に関する。さらには、歯科技工切削加工作業環境、とくに義歯切削加工作業環境をクリーンに維持することのできる簡易防塵装置および防塵方法に関する。
【背景技術】
【０００２】
歯科治療において、歯科技工切削加工作業、とくに義歯切削加工作業には、義歯の作製、改造修正、調整する場合に、多くは義歯を切削する作業が生じる。この切削作業の際に、切削屑片が多く発生し、歯科診療室、歯科技工を行う歯科技工室、要介護高齢者の訪問診療の際には、居室や病室に、この義歯切削片が広く飛散する。義歯および義歯を持っている術者の手または衣服に付着してくる。従来は、診療室または技工室では、この切削屑片を圧搾空気で吹き飛ばすか、大型の吸引装置で吸引していたが、吹き飛ばすことで切削屑片が飛散し、吸引装置があってもその吸引効率は十分でなく、技工室または診療室の環境を悪化させることが問題点としてあげられる。また、訪問診療先の居室や病室には、吸引装置が無いことが多く、従来の吸引装置は大型で運搬が困難であった。さらに，患者が使用中の義歯を切削する場合には，これらの切削片は多くの病原菌を伴っているため、院内感染を予防するためには，１個の防塵装置は１名の患者のみの使用とし，使い捨てで使用するか，もしくは使用後簡単かつ確実に消毒できる必要がある。
【０００３】
文献1には、折り畳み式集塵ケースが開示されている。しかし、この先行技術では使い捨ての使用あるいは使用後簡単には確実な消毒ができないため，上記問題点を改善することはできなかった。
【特許文献１】特開２００３−２１０４９１号公報
【発明の開示】
【発明が解決しようとする課題】
【０００４】
本発明は、歯科技工切削加工作業用の切削屑片の簡易防塵装置および防塵方法、とくに義歯切削加工作業用の切削屑片の簡易防塵装置を提供することを目的とする。さらには、歯科技工切削加工作業環境、とくに義歯切削加工作業環境をクリーンに維持することのできる簡易防塵装置および防塵方法を提供することを目的とする。
【課題を解決するための手段】
【０００５】
本発明者らは上記課題を解決するために、臨床的に鋭意検討を重ねた結果、歯科技工切削加工作業、とくに義歯切削加工作業の際に、両端の開口部に溝あるいは鍔あるいは溝と鍔の両方の構造を備えた透明な太鼓形状の筒状物で，該溝あるいは鍔あるいは溝と鍔の両方の構造を有し、中央部に作業手を挿入可能な穴形状を有しかつ切削屑飛散防止性の伸縮性のシートまたはフィルムを着脱自在に取り付け得る構造とすることを特徴とする簡易防塵装置を採用するかまたは両端の開口部に溝あるいは鍔あるいは溝と鍔の両方の構造を備えた透明な円柱形状の筒状物で，該溝あるいは鍔あるいは溝と鍔の両方の構造を有し、中央部に作業手を挿入可能に穴形状を有しかつ切削屑飛散防止性の伸縮性のシートまたはフィルムを着脱自在に取り付け得る構造とすることを特徴とする簡易防塵装置を採用することにより、この課題が解決できることを見出し、本発明を完成するに至った。
【０００６】
すなわち、本発明は、下記［１］ないし［１２］の具体的な内容から構成されるものである。
【０００７】
［１］両端の開口部に溝あるいは鍔あるいは溝と鍔の両方の構造を備えた透明な太鼓形状の筒状物で，該溝あるいは鍔あるいは溝と鍔の両方の構造を有し、中央部に作業手を挿入可能な穴形状を有しかつ切削屑飛散防止性の伸縮性のシートまたはフィルムを着脱自在に取り付け得る構造とすることを特徴とする簡易防塵装置。
【０００８】
［２］中央部に作業手を挿入可能な穴形状を有しかつ切削屑飛散防止性の伸縮性のシートまたはフィルムの穴形状部が絞り構造または襞付き絞り構造または切り込み襞付き構造となっている上記［１］に記載の簡易防塵装置。
【０００９】
［３］中央部に作業手を挿入可能な穴形状を有しかつ切削屑飛散防止性の伸縮性のシートまたはフィルムが使い捨て医療用手袋の手首部である上記［１］または［２］に記載の簡易防塵装置。
【００１０】
［４］上記［１］ないし［３］のいずれかに記載の歯科技工切削加工作業用簡易防塵装置。
【００１１】
［５］上記［１］ないし［４］のいずれかに記載の義歯切削加工作業用簡易防塵装置。
【００１２】
［６］上記［１］ないし［５］のいずれかに記載の簡易防塵装置の着脱自在に設けられた切削屑飛散防止性の伸縮性のシートまたはフィルムの中央部の穴形状部から切削工具を持った作業手を挿入し、切削作業を行うことを特徴とする防塵方法。
【００１３】
［７］両端の開口部に溝あるいは鍔あるいは溝と鍔の両方の構造を備えた透明な円柱形状の筒状物で，該溝あるいは鍔あるいは溝と鍔の両方の構造を有し、中央部に作業手を挿入可能な穴形状を有しかつ切削屑飛散防止性の伸縮性のシートまたはフィルムを着脱自在に取り付け得る構造とすることを特徴とする簡易防塵装置。
【００１４】
［８］中央部に作業手を挿入可能な穴形状を有しかつ切削屑飛散防止性の伸縮性のシートまたはフィルムの穴形状部が絞り構造または襞付き絞り構造または切り込み襞付き構造となっている上記［７］に記載の簡易防塵装置。
【００１５】
［９］中央部に作業手を挿入可能な穴形状を有しかつ切削屑飛散防止性の伸縮性のシートまたはフィルムが使い捨て医療用手袋の手首部である上記［８］に記載の簡易防塵装置。
【００１６】
［１０］上記［７］ないし［９］のいずれかに記載の歯科技工切削加工作業用簡易防塵装置。
【００１７】
［１１］上記［７］ないし［１０］のいずれかに記載の義歯切削加工作業用簡易防塵装置。
【００１８】
［１２］上記［７］ないし［１１］のいずれかに記載の簡易防塵装置の着脱自在設けられた切削屑飛散防止性の伸縮性のシートまたはフィルムの中央部の穴形状部から切削工具を持った作業手を挿入し、切削作業を行うことを特徴とする防塵方法。
【発明の効果】
【００１９】
本発明により、歯科技工切削加工作業用の切削屑片の簡易防塵装置および防塵方法、とくに義歯切削加工作業用の切削屑片の簡易防塵装置、さらには、歯科技工切削加工作業環境、とくに義歯切削加工作業環境をクリーンに維持することのできる簡易防塵装置および防塵方法を提供することができ、とくに診察室に来診できない高齢者の在宅診療を行う際の簡易防塵装置および防塵方法としてきわめて有用ある。
【発明を実施するための最良の形態】
【００２０】
本発明の第一の実施形態の簡易防塵装置は，両端の開口部１に溝２あるいは鍔３あるいは溝２と鍔３の両方の構造を備えた透明な太鼓形状の筒状物４である。通常，溝２と鍔３の両方の構造を有することが好ましいが，いずれか一方の構造が採用されてもよい。簡易防塵装置構造の太鼓状の筒状物４は通常ポリエチレンテレフタレート、ポリエチレン、ポリ−４−メチル−１−ペンテン、ポリカーボネートなどの透明性の高い合成樹脂で成型されているが、ポリエチレンテレフタレートで成型されたものが極めて好適である。
【００２１】
通常、透明な太鼓形状の筒状物４の両端の開口部１に配設された該溝２あるいは鍔３あるいは溝２と鍔３の両方の構造には、中央部に作業手を挿入可能な穴形状を有しかつ切削屑飛散防止性の伸縮性のシートまたはフィルム５を着脱自在に取り付けられる。この中央部に作業手を挿入可能な穴形状を有しかつ切削屑飛散防止性の伸縮性のシートまたはフィルム５として具体的には、伸縮シートまたはフィルムの穴形状部が絞り構造または襞付き絞り構造または切り込み襞付き構造となっているものが好ましく、さらに具体的には使い捨て医療用ゴム手袋の手首部６を切断したものが容易に着脱自在に取り付け得る構造を有するので簡便かつ便利である。
【００２２】
本発明の第一の実施形態の簡易防塵装置は透明な太鼓形状の筒状物４から構成されているので、作業空間をおおきく確保できるので、比較的大きな義歯、義歯模型等の切削作業に好都合である。
【００２３】
また、本発明の第一の実施形態の簡易防塵装置は、透明な太鼓形状の筒状物４から構成されているので、切削作業の途中にまたは適宜のときに、切削粉塵が透明な太鼓形状の筒状物４の内部に付着して内部視界が妨げられたときには、適宜量の先浄水を内部に注入して回転させることにより切削粉塵を洗浄除去することができ、視界の低下を改善することができるという利点も有している。
【００２４】
また、本発明の第一の実施形態の簡易防塵装置は、着脱自在に取り付けられた切削屑飛散防止性の伸縮性のシートまたはフィルム５を取り除き、透明な太鼓形状の筒状物４を煮沸消毒、加熱水蒸気消毒などの手段で滅菌し、繰り返し再利用できるという利点をも有している。
【００２５】
着脱自在に取り付けられる切削屑飛散防止性の伸縮性のシートまたはフィルム５の素材としては、天然ゴム、スチレン・ブタジエン共重合体、プロピレン・エチレン共重合体、プロピレン・エチレン・ジエン共重合体などの合成ゴムを例示することができるが、いずれでも好適に使用できる。
【００２６】
本発明の第二の実施形態の防塵方法の発明は，簡易防塵装置の着脱自在設けられた切削屑飛散防止性の伸縮性のシートまたはフィルム５の中央部の穴形状部から切削工具を持った作業手を挿入し、歯科技工切削加工作業または義歯切削加工作業、とくに診察室に来診できない高齢者の在宅診療を行う際には、本格的な歯科装置が搬入できない場合が多く、在宅診療の防塵方法としてきわめて好都合である。
【００２７】
本発明の第三の実施形態の簡易防塵装置は，両端の開口部１１に溝１２あるいは鍔１３あるいは溝１２と鍔１３の両方の構造を備えた透明な円柱形状の筒状物１４である。通常，溝１２と鍔１３の両方の構造を有することが好ましいが，いずれか一方の構造が採用されてもよい。簡易防塵装置構造の透明な円柱形状の筒状物１４は通常ポリエチレンテレフタレート、ポリエチレン、ポリ−４−メチル−１−ペンテン、ポリカーボネートなどの透明性の高い合成樹脂で成型されているが、ポリエチレンテレフタレートで成型されたものが極めて好適である。
【００２８】
通常、透明な円柱形状の筒状物１４の両端の開口部１１に配設された該溝１２あるいは鍔１３あるいは溝１２と鍔１３の両方の構造には、中央部に作業手を挿入可能な穴形状を有しかつ切削屑飛散防止性の伸縮性のシートまたはフィルム１５を着脱自在に取り付けられる。この中央部に作業手を挿入可能な穴形状を有しかつ切削屑飛散防止性の伸縮性のシートまたはフィルム１５として具体的には、伸縮シートまたはフィルム１５の穴形状部が絞り構造または襞付き絞り構造または切り込み襞付き構造となっているものが好ましく、さらに具体的には使い捨て医療用ゴム手袋の手首部１６を切断したものが容易に着脱自在に取り付け得る構造を有するので簡便かつ便利である。
【００２９】
また、本発明の第三の実施形態の簡易防塵装置は、透明な円柱形状の筒状物１４から構成されているので、切削作業の途中にまたは適宜のときに、切削粉塵が透明な円柱形状の筒状物１４の内部に付着して内部視界が妨げられたときには、適宜量の先浄水を内部に注入して回転させることにより切削粉塵を洗浄除去することにより視界の低下を改善することもできるという利点も有しているが、このような先浄水を用いた切削粉塵を洗浄除去操作を行うには、透明な太鼓形状の筒状物４を用いた先の第一の実施し形態の簡易防塵装置が優れている。
【００３０】
また、本発明の第三の実施形態の簡易防塵装置は、着脱自在に取り付けられた切削屑飛散防止性の伸縮性のシートまたはフィルム１５を取り除き、透明な円柱形状の筒状物１４を煮沸消毒、加熱水蒸気消毒などの手段で滅菌し、繰り返し再利用できるという利点をも有している。
【００３１】
着脱自在に取り付けられる切削屑飛散防止性の伸縮性のシートまたはフィルムの１５の素材としては、天然ゴム、スチレン・ブタジエン共重合体、プロピレン・エチレン共重合体、プロピレン・エチレン・ジエン共重合体などの合成ゴムを例示することができるが、いずれでも好適に使用できる。
【００３２】
本発明の第四の実施形態の防塵方法の発明は，簡易防塵装置の着脱自在設けられた切削屑飛散防止性の伸縮性のシートまたはフィルム１５の中央部の穴形状部から切削工具を持った作業手を挿入し、歯科技工切削加工作業または義歯切削加工作業、とくに診察室に来診できない高齢者の在宅診療を行う際には、本格的な歯科装置が搬入できない場合が多く、在宅診療の際の防塵方法としてきわめて好都合である。
【図面の簡単な説明】
【００３３】
【図１】本発明の透明な太鼓形状の筒状物４を有する簡易防塵装置（本発明の第一の実施形態）
【図２】本発明の透明な太鼓形状の筒状物４を有する簡易防塵装置（本発明の第一の実施形態）
【図３】本発明の透明な円柱形状の筒状物１４を有する簡易防塵装置（本発明の第三の実施形態）
【図４】本発明の透明な円柱形状の筒状物１４を有する簡易防塵装置（本発明の第三の実施形態）
【符号の説明】
【００３４】
１・・・・・・透明な太鼓形状の筒状物の両端の開口部
１１・・・・・透明な円柱形状の筒状物の両端の開口部
４・・・・・・透明な太鼓形状の筒状物の両端の開口部
２・・・・・・透明な太鼓形状の筒状物の両端の開口部に配設された溝
１２・・・・透明な円柱形状の筒状物の両端の開口部に配設された溝
３・・・・・・透明な太鼓形状の筒状物の両端の開口部に配設された鍔
１３・・・・透明な円柱形状の筒状物の両端の開口部に配設された鍔
４・・・・・透明な太鼓形状の筒状物
１４・・・・透明な円柱形状の筒状物
５・・・・・切削屑飛散防止性の伸縮性絞りシート
１５・・・・切削屑飛散防止性の伸縮性絞りシート
６・・・・・使い捨て医療用手袋の手首部
１６・・・・使い捨て医療用手袋の手首部
【図１】
2008183281.tif 000003
【図２】
2008183281.tif 000004
【図３】
2008183281.tif 000005
【図４】
2008183281.tif 000006